(57)【要約】    【課題】ステージで遊技球を左右方向に振り分けて遊技盤の前側に落下させる際の間持ちを良くして、遊技者の興趣をより喚起できるようにする。    【解決手段】遊技盤１２の遊技領域１５に入賞手段２０と、入賞手段２０の上方に配置され且つ球案内通路３８からの遊技球を左右に振り分けて遊技盤１２の前側に落下させるステージ３４とを備え、ステージ３４は横軸４６廻りに回転し且つ球案内通路３８からの遊技球を内周面６０に沿って移動させながら左右に振り分ける中空状の回転体４７と、回転体４７を横軸４６廻りに駆動する駆動手段４８とを備え、回転体４７は内部の遊技球を入賞手段２０に入賞し易い位置に排出する第１排出口６２と、入賞手段２０に入賞し難い位置に排出する第２排出口６３とを有する。【選択図】  図３
2012040345.tif 000002
【特許請求の範囲】
【請求項１】
遊技盤の遊技領域に入球手段と、該入球手段の上方に配置され且つ球案内通路からの遊技球を左右方向に振り分けて前記遊技盤の前側に落下させるステージとを備えた弾球遊技機において、前記ステージは横軸廻りに回転し且つ前記球案内通路からの遊技球を内周面に沿って移動させながら左右方向に振り分ける中空状の回転体と、該回転体を前記横軸廻りに駆動する駆動手段とを備え、前記回転体は内部の遊技球を前記入球手段に入球し易い位置に排出する第１排出口と前記入球手段に入球し難い位置に排出する第２排出口とを備えたことを特徴する弾球遊技機。
【請求項２】
前記回転体は左右方向の中間部が大径となる太鼓状の前記内周面を有し、該内周面の大径部分側に前記排出口を設け、前記回転体の前記球案内通路側の端部に、該球案内通路からの遊技球が前記回転体内に入る球入口を設けたことを特徴とする請求項１に記載の弾球遊技機。
【請求項３】
前記内周面の大径部分側に、前記回転体の回転に伴って該回転体内の遊技球の挙動を制御する挙動制御部を備えたことを特徴とする請求項２に記載の弾球遊技機。
【請求項４】
前記遊技盤の前部側に、前記入球手段に入球し易い位置に遊技球を落下させる第１落下部と、前記入球手段に入球し難い位置に遊技球を落下させる第２落下部とを設け、前記各排出口から排出された遊技球を対応する前記各排出部へと案内する案内壁を前記回転体に沿って設けたことを特徴とする請求項１〜３の何れかに記載の弾球遊技機。
【請求項５】
前上がりに回転する前記回転体と、前記横軸よりも前側に配置された前記球案内通路とを備え、前記回転体の前下側に前記各落下部を配置し、前記各排出口内の遊技球を前記回転体の回転により前記各落下部へと案内する前記案内壁を前記回転体の下側に設けたことを特徴とする請求項４に記載の弾球遊技機。
【請求項６】
前記内周面は前記横軸に対して略同心状に形成された横長状であり、前記内周面の前記球入口側は、該球入口側が小径となる曲面状であることを特徴とする請求項２又は３に記載の弾球遊技機。
【請求項７】
前記回転体の球案内通路側の内周に、前記球案内通路から入った遊技球を前記回転体の回転によって持ち上げながら前記内周面に沿って案内する持ち上げ部を設けたことを特徴とする請求項２、３又は６に記載の弾球遊技機。
【請求項８】
前記回転体は回転方向に二分割された一対の分割体を備え、該両分割体に跨がって前記球入口を設け、一方の前記分割体の大径部分の略中央に前記第１排出口を、他方の前記分割体の大径部分の左右両側に前記第２排出口を夫々設けたことを特徴とする請求項１〜７の何れかに記載の弾球遊技機。
【請求項９】
前記遊技盤の前面に装着された前構造体と、該前構造体の表示窓に対応して装着された画像表示手段とを有する中央役物を備え、前記画像表示手段の前下側で前記前構造体に前記ステージのステージ枠を設けたことを特徴とする請求項１〜８の何れかに記載の弾球遊技機。
【発明の詳細な説明】
【技術分野】
【０００１】
本発明は、パチンコ機、アレンジボール機等の弾球遊技機に関するものである。
【背景技術】
【０００２】
例えばパチンコ機には、遊技盤の遊技領域の略中央に配置された中央役物に、演出画像を表示する液晶式等の画像表示手段と、画像表示手段の前側に配置され且つ遊技球を適宜左右方向に振り分けながら遊技盤の前側へと落下させるステージとを備え、中央役物の下方に特別図柄始動手段を配置したものがある。
【０００３】
ステージには、従来、左右方向に波状又は凹凸状に形成された固定フロアを備えた固定式の他に、固定フロアと可動体とを組み合わせた可動式のものがある。可動式のステージには、左右方向に波状に形成されたフロアを前後方向に階段状に備え、その前後方向の中間のフロアを左右方向に往復移動させるようにした往復移動式（特許文献１）、固定フロアの左右中央に形成された隆起部に、１本の縦軸廻りに回転する回転体を配置した１軸回転式（特許文献２）、隆起部に略同心状に配置された内外２個の回転体を備え、この各回転体を同心状の内外２本の縦軸により駆動するようにした２軸回転式（特許文献３）等がある。
【先行技術文献】
【特許文献】
【０００４】
【特許文献１】特開２００２−３６９９１９号公報
【特許文献２】特開２００５−３３４５０２号公報
【特許文献３】特開２０１０−４６４２６号公報
【発明の概要】
【発明が解決しようとする課題】
【０００５】
可動式のステージは、フロア上の遊技球が可動体と接触することにより、遊技球の挙動を積極的に不規則に変化させるため、遊技球の挙動に対する遊技者の興趣を固定式のステージに比較して著しく喚起できる利点がある。
【０００６】
しかし、従来の可動式ステージは、可動フロアが左右に往復移動したり、回転体が縦軸廻りに回転して、ステージの上面側で遊技球の挙動を変化させる構成であって、遊技球が比較的短時間でステージを通過する構造であるため、間持ちが悪く遊技者の注意を十分に惹きつけ得ない欠点がある。
【０００７】
本発明は、このような従来の問題点に鑑み、ステージで遊技球を左右方向に振り分けて遊技盤の前側に落下させる際の間持ちを良くして、遊技者の興趣をより喚起できるステージを備えた弾球遊技機を提供することを目的とする。
【課題を解決するための手段】
【０００８】
本発明は、遊技盤の遊技領域に入球手段と、該入球手段の上方に配置され且つ球案内通路からの遊技球を左右方向に振り分けて前記遊技盤の前側に落下させるステージとを備えた弾球遊技機において、前記ステージは横軸廻りに回転し且つ前記球案内通路からの遊技球を内周面に沿って移動させながら左右方向に振り分ける中空状の回転体と、該回転体を前記横軸廻りに駆動する駆動手段とを備え、前記回転体は内部の遊技球を前記入球手段に入球し易い位置に排出する第１排出口と前記入球手段に入球し難い位置に排出する第２排出口とを備えたものである。
【０００９】
前記回転体は左右方向の中間部が大径となる太鼓状の前記内周面を有し、該内周面の大径部分側に前記排出口を設け、前記回転体の前記球案内通路側の端部に、該球案内通路からの遊技球が前記回転体内に入る球入口を設けてもよい。前記内周面の大径部分側に、前記回転体の回転に伴って該回転体内の遊技球の挙動を制御する挙動制御部を備えてもよい。
【００１０】
前記遊技盤の前部側に、前記入球手段に入球し易い位置に遊技球を落下させる第１落下部と、前記入球手段に入球し難い位置に遊技球を落下させる第２落下部とを設け、前記各排出口から排出された遊技球を対応する前記各排出部へと案内する案内壁を前記回転体に沿って設けてもよい。
【００１１】
前上がりに回転する前記回転体と、前記横軸よりも前側に配置された前記球案内通路とを備え、前記回転体の前下側に前記各落下部を配置し、前記各排出口内の遊技球を前記回転体の回転により前記各落下部へと案内する前記案内壁を前記回転体の下側に設けてもよい。
【００１２】
前記内周面は前記横軸に対して略同心状に形成された横長状であり、前記内周面の前記球入口側は、該球入口側が小径となる曲面状であってもよい。前記回転体の球案内通路側の内周に、前記球案内通路から入った遊技球を前記回転体の回転によって持ち上げながら前記内周面に沿って案内する持ち上げ部を設けてもよい。
【００１３】
前記回転体は回転方向に二分割された一対の分割体を備え、該両分割体に跨がって前記球入口を設け、一方の前記分割体の大径部分の略中央に前記第１排出口を、他方の前記分割体の大径部分の左右両側に前記第２排出口を夫々設けてもよい。前記遊技盤の前面に装着された前構造体と、該前構造体の表示窓に対応して装着された画像表示手段とを有する中央役物を備え、前記画像表示手段の前下側で前記前構造体に前記ステージのステージ枠を設けてもよい。
【発明の効果】
【００１４】
本発明によれば、ステージで遊技球を左右方向に振り分けて遊技盤の前側に落下させる際の間持ちを良くして、遊技者の興趣をより喚起できる利点がある。
【図面の簡単な説明】
【００１５】
【図１】本発明の第１の実施形態を示すパチンコ機の正面図である。
【図２】同ステージの斜視図である。
【図３】同ステージの正面断面図である。
【図４】同ステージの側面断面図である。
【図５】同ステージの分解斜視図である。
【図６】同回転体の分解斜視図である。
【図７】同分割体の底面図である。
【図８】同分割体の底面図である。
【図９】同動作説明図である。
【図１０】同動作説明図である。
【図１１】本発明の第２の実施形態を示すステージの側面断面図である。
【図１２】本発明の第３の実施形態を示すステージの平面断面図である。
【図１３】同正面断面図である。
【図１４】本発明の第４の実施形態を示すステージの平面断面図である。
【図１５】本発明の第５の実施形態を示すステージの正面断面図である。
【図１６】本発明の第６の実施形態を示すステージの平面断面図である。
【図１７】本発明の第７の実施形態を示すステージの平面断面図である。
【図１８】同側面断面図である。
【図１９】本発明の第８の実施形態を示す回転体の展開図である。
【図２０】本発明の第９の実施形態を示すステージの平面断面図である。
【図２１】同側面断面図である。
【図２２】回転式の振り分け装置の断面図である。
【発明を実施するための形態】
【００１６】
以下、本発明の第１の実施形態を図面に基づいて詳述する。図１〜図１０は本発明をパチンコ機に採用した第１の実施形態を例示する。パチンコ機は、図１に示すように、矩形状の外枠１と、この外枠１の前側にヒンジ２により縦軸廻りに開閉自在に枢着された前枠３とを備えている。前枠３の前側にはガラス扉４と前面板５とが上下に配置され、前枠３に対してヒンジ２と同じ側のヒンジ６により縦軸廻りに開閉自在に枢支されている。
【００１７】
前面板５の前側には発射用の遊技球を貯留する球供給皿７が配置され、その側方に遊技球を発射する発射手段の発射ハンドル８が設けられている。ガラス扉４はその透視窓１０を塞ぐ前後２枚のガラス板１１（図４参照）を有し、このガラス扉４の裏側に、ガラス扉４に対応するように前枠３に遊技盤１２が着脱自在に装着されている。
【００１８】
遊技盤１２の前面には、発射手段から発射された遊技球を誘導するガイドレール１３と、略円弧状の内周面を有する外周飾り部材１４とが周方向に装着され、そのガイドレール１３と外周飾り部材１４との内側が略円形状の遊技領域１５となっている。ガイドレール１３は内レール１３ａと外レール１３ｂとを有し、その内レール１３ａと外レール１３ｂの一部と外周飾り部材１４の内周面とにより遊技領域１５が画成されている。
【００１９】
遊技領域１５には中央役物１８、普通図柄始動手段１９、第１特別図柄始動手段２０、第２特別図柄始動手段２１、大当たり用の開閉入賞手段２２、普通入賞手段２３、普通図柄表示手段２４、第１特別図柄表示手段２５、第２特別図柄表示手段２６、装飾体等の各種の遊技部品が配置されている。
【００２０】
中央役物１８は遊技領域１５の左右方向の略中央に配置されており、この中央役物１８の上端側の左右中央より左側が左打ち通路２８となり、右側が右打ち通路２９となっている。従って、遊技領域１５の上部に打ち込まれた遊技球は、左打ち通路２８、右打ち通路２９の何れかの流下通路を経て順次流下する。
【００２１】
中央役物１８は遊技盤１２の前側に装着された前構造体３２と、遊技盤１２の裏側に装着された裏構造体（図示省略）と、前構造体３２の表示窓３２ａに対応して遊技盤１２の裏側で裏構造体に装着された液晶式その他の画像表示手段３３と、画像表示手段３３の前側で前構造体３２に装着されたステージ３４とを有する。
【００２２】
中央役物１８の下側の左右略中央には、この中央役物１８と最下部のアウト球口３５との間に第１特別図柄始動手段２０と第２特別図柄始動手段２１とが上下方向に配置されている。そして、中央役物１８の左下側には左打ち通路２８を置いて複数個の普通入賞手段２３が配置され、また右下側には普通図柄始動手段１９、開閉入賞手段２２、普通入賞手段２３等が配置されている。
【００２３】
前構造体３２は遊技盤１２の前面で左打ち通路２８側に開口する球誘導口３６と、この球誘導口３６からの遊技球をステージ３４へと案内する球案内通路３８とを有し、球誘導口３６、球案内通路３８を経てステージ３４へと誘導された遊技球を、そのステージ３４で左右方向に振り分けて第１特別図柄始動手段２０の上方から遊技盤１２の前側へと落下させるようになっている。また前構造体３２には前面等の適当箇所に普通図柄表示手段２４、第１特別図柄表示手段２５、第２特別図柄表示手段２６が装着されている。
【００２４】
普通図柄表示手段２４は普通図柄を変動表示するためのもので、複数種類の普通図柄（例えば２種類の「○」「×」）に対応する複数個の発光素子により構成されており、普通図柄始動手段１９が遊技球を検出することを条件に２個の発光素子が交互に点灯するように所定時間点滅して、普通図柄始動手段１９の遊技球の検出時に抽選した乱数値が予め定められた当たり判定値と一致した場合に当たり態様の「○」側の発光素子が点灯し、それ以外の場合に外れ態様の「×」側の発光素子が点灯して停止する。なお、変動後の普通図柄は１／１０程度の所定の確率で当たり態様となる。
【００２５】
第１特別図柄表示手段２５、第２特別図柄表示手段２６は発光部位の変化等で第１特別図柄、第２特別図柄を変動表示可能なセグメント式等の表示手段により構成されており、第１特別図柄表示手段２５は第１特別図柄始動手段２０が、第２特別図柄表示手段２６は第２特別図柄始動手段２１が夫々遊技球を検出することを条件に、第１特別図柄、第２特別図柄が所定時間変動して、第１特別図柄始動手段２０、第２特別図柄始動手段２１の遊技球の検出時に抽選された乱数値が予め定められた大当たり判定値と一致した場合に所定の大当たり態様で、それ以外の場合に外れ態様で停止するようになっている。
【００２６】
なお、変動後の第１特別図柄、第２特別図柄は、通常確率状態中は１／３５０等の通常確率で大当たり態様となり、大当たり状態終了後の高確率状態中は１／３５等の高確率で大当たり態様となる。大当たり状態中の場合には第１特別図柄、第２特別図柄は何れも変動しないし、一方が変動中の場合には他方は変動しない。また各特別図柄の始動検出は所定の上限数（例えば４）まで保留可能であり、両方に１以上の保留がある場合には、第２特別図柄表示手段２６の図柄変動が優先する。更に高確率状態中は第１特別図柄、第２特別図柄の変動時間も短縮される。
【００２７】
画像表示手段３３は第１特別図柄表示手段２５、第２特別図柄表示手段２６に対応する演出図柄表示手段４０を構成するもので、第１特別図柄、第２特別図柄の変動時にその図柄変動に同期して変動する１個又は複数個、例えば３個の演出図柄４１ａ〜４１ｃを変動表示する。演出図柄４１ａ〜４１ｃは第１特別図柄始動手段２０、第２特別図柄始動手段２１の遊技球の検出を条件に、抽選により決定された所定の演出図柄変動パターンを経て所定時間変動した後、第１特別図柄、第２特別図柄の変動終了に同期して所定の順序で順次停止する。なお、演出図柄表示手段４０は第１特別図柄表示手段２５、第２特別図柄表示手段２６に対応して別々に設けてもよい。
【００２８】
演出図柄４１ａ〜４１ｃの変動後の停止図柄は、第１特別図柄、第２特別図柄が大当たり態様で停止する場合には全てが揃う大当たり演出態様となり、第１特別図柄、第２特別図柄が外れ態様で停止する場合には少なくとも一部が異なる外れ演出態様となる。
【００２９】
例えば、演出図柄４１ａ〜４１ｃには０〜９までの数字図柄が使用されており、特別図柄が大当たり態様で停止する場合には演出図柄４１ａ〜４１ｃは「７・７・７」等の大当たり演出態様で停止し、特別図柄が外れ態様で停止する場合には演出図柄４１ａ〜４１ｃは「２・４・５」等の外れ演出態様で停止する。
【００３０】
第１特別図柄始動手段２０は非開閉式であって、画像表示手段３３の下側に配置されており、この第１特別図柄始動手段２０は右打ち通路２９に比較して左打ち通路２８を経て落下する遊技球が入賞し易くなっている。
【００３１】
第２特別図柄始動手段２１は開閉式であって、左右一対の開閉部材２１ａを備えた電動チューリップ式入賞手段等により構成され、普通図柄表示手段２４の変動後の普通図柄が当たり態様で停止した場合に所定の開放パターンで開放するようになっている。
【００３２】
第２特別図柄始動手段２１の開放パターンには、開放時間の短い通常パターン（例えば０．２秒×１回）と開放時間の長い特別パターン（例えば２秒×３回）とがあり、通常確率状態中は通常パターンが、高確率状態中は特別パターンが夫々選択される。
【００３３】
開閉入賞手段２２は変動後の第１特別図柄、第２特別図柄が大当たり態様で停止した場合に発生する大当たり状態中に所定の開放パターンで開閉するもので、この開閉入賞手段２２に遊技球が入賞したときには、他の普通入賞手段２３等への入賞よりも多くの賞球が払い出されるようになっている。この開閉入賞手段２２は上向きに開口する大入賞口４２と、前後方向に出退して大入賞口４２を開閉する開閉板４３とを有する。
【００３４】
なお、開閉入賞手段２２の開閉パターンは、開放後に所定数（例えば１０個）の遊技球が入賞するか、所定時間（例えば３０秒）が経過するかの何れか早い方で閉じる開閉動作を１ラウンドとして、そのラウンド数の違いにより複数の種類があり、大当たりの抽選時にその複数種類の開閉パターンの何れかが抽選される。
【００３５】
普通図柄始動手段１９は遊技球の検出を条件に普通図柄表示手段２４の普通図柄を変動させるためのもので、右打ち通路２９を経て流下する遊技球の通過を検出するようになっている。
【００３６】
ステージ３４は図２〜図８に示すように構成されている。ステージ３４は球案内通路３８からの遊技球を左右方向に振り分けて遊技盤１２の前側に落下させるためのもので、画像表示手段３３の前下側で前構造体３２間に配置されたステージ枠４５と、ステージ枠４５に横軸４６廻りに回転自在に支持され且つ横軸４６廻りに回転して球案内通路３８からの遊技球の落下位置を左右方向に振り分ける回転体４７と、回転体４７を横軸４６廻りに回転駆動する駆動手段４８とを備えている。なお、回転体４７は駆動手段４８の駆動により、その前上りにａ矢示方向に回転する。
【００３７】
ステージ枠４５は、図２〜図５に示すように、遊技盤１２の前面に当接する前飾り体４９と、この前飾り体４９の裏面に複数個のネジ等により着脱自在に固定された後支持体５０とを有し、回転体４７の左右方向の一方に球案内通路３８の終端側が設けられ、また回転体４７の下側に遊技球の落下部５１，５２が左右方向の略中央とその左右両側とに設けられている。ステージ枠４５は前構造体３２と一体のユニットを構成して遊技盤１２に装着するか、又は前構造体３２とは別に遊技盤１２に装着している。
【００３８】
前飾り体４９は左右略中央部の上部に回転体４７に対応する凹状の切り欠き部５３が設けられ、また後支持体５０には切り欠き部５３に対応して回転体４７の左右両側に配置された側壁５４と、この側壁５４間で回転体４７の後側から下側を経て前飾り体４９側に至る案内壁５５とが設けられている。
※  前飾り体４９の切り欠き部５３には、案内壁５５の前端に対応して左右に２個の突部５３ａが設けられ、その突部５３ａ間が第１落下部５１となり、各突部５３ａの左右方向の外側が第２落下部５２となっている。第１落下部５１は第１特別図柄始動手段２０に入賞（入球）し易い位置に、第２落下部５２は第１特別図柄始動手段２０に入賞し難い位置に夫々遊技球を落下させるようになっている。
【００３９】
前飾り体４９と後支持体５０との間には通路形成体５６が介在され、この通路形成体５６と前飾り体４９との間に球案内通路３８が設けられている。球案内通路３８は左右方向の外側から回転体４７側へと傾斜しており、ステージ枠４５の前部で回転体４７の横軸４６よりも前側に左右方向に配置されている。
【００４０】
回転体４７は内部の遊技球を視認可能に透明な合成樹脂材等から成り、横長状の中空体により構成されている。この回転体４７は胴部５８と、この胴部５８の左右両側に設けられた側壁部５９とを有し、胴部５８の内周面６０を含む両面が横軸４６に対して略同心状で且つ左右方向の略中央が大径となる緩やかな太鼓状に形成されている。そして、回転体４７の左右方向の一端側に、球案内通路３８からの遊技球が入る球入口６１が設けられ、左右方向の中央部分に、内部の遊技球を排出する第１排出口６２及び第２排出口６３が設けられている。
【００４１】
回転体４７の内周面６０は、球入口６１から入った遊技球が内周面６０に沿って左右方向の中央側へと移動するように、胴部５８側よりも側壁部５９側が小径となる球面状、その他の曲面状に形成されている。なお、回転体４７は少なくとも内周面６０が太鼓状であればよく、外周面は左右方向の略全体が略同径の直円筒状でもよい。
【００４２】
球入口６１は回転体４７の回転方向に長い扇形状であって、一方の側壁部５９に横軸４６廻りに略等配に複数（２個）設けられている。なお、球入口６１は扇形状の他、円弧状の長孔、丸孔等でもよいし、周方向に１個又は３個以上設けてもよい。第１排出口６２は第１落下部５１に対応して大径部分の左右方向の略中央に配置され、第２排出口６３は第２落下部５２に対応して大径部分の左右両側に配置されている。なお、排出口６２，６３は丸孔となっているが、左右方向又は回転方向に長い長孔により構成してもよい。また排出口６２，６３は３個以上設けてもよい。
【００４３】
回転体４７は、図２〜図８に示すように、胴部５８及び側壁部５９が回転方向に二分割された一対の分割体６５を着脱自在に結合して構成されている。各分割体６５には側壁部５９の中央部に横軸４６用の半割筒部６６が一体に形成され、この半割筒部６６に胴部５８を貫通する横軸４６が挿通されている。各分割体６５には胴部５８の両端側に径方向の中央に突出して横軸４６を挟持する結合ボス部６７が設けられ、その両結合ボス部６７が横軸４６に貫通するネジ６８により着脱自在に結合されている。結合ボス部６７の一方は断面凹状であって、その底部にネジ挿通孔６７ａを有し、そのネジ挿通孔６７ａから挿通されたネジ６８が他方の結合ボス部６７のネジ孔６７ｂに螺合している。
【００４４】
球入口６１と結合ボス部６７は横軸４６廻りに位置を変えて（例えば２等配の場合には略９０度）設けられており、結合ボス部６７と側壁部５９との間に補強壁６９が設けられている。球入口６１側の回転体４７内には、球入口６１から回転体４７内に入って左右方向の中央側へと移動する遊技球と接触したときに、回転体４７の回転に伴ってその遊技球を前上側へと持ち上げながら内周面６０に案内する持ち上げ部７０が設けられている。この持ち上げ部７０は球入口６１側の結合ボス部６７と補強壁６９とにより構成されており、補強壁６９は結合ボス部６７に対して回転体４７の回転方向の下手側に連続状に設けられている。
【００４５】
各分割体６５の胴部５８の周方向の両端縁には、相手側に嵌合する胴部５８の左右方向の略全長にインロー構造の嵌合部７１が設けられている。胴部５８の内周面６０には、回転体４７の回転時に胴部５８内の遊技球の挙動を制御する挙動制御部７２が、第１排出口６２に対して回転体４７の回転方向の下手側の近傍に設けられている。挙動制御部７２は第１排出口６２に対応して周方向に形成された二条の突条７２ａを有し、突条７２ａ間に遊技球が入ったときに第１排出口６２に遊技球が入る可能性が大となり、それ以外の場合に第２排出口６３に遊技球が入る可能性が大となるように遊技球を案内する。
【００４６】
横軸４６は球案内通路３８側である一方の側壁５４により回転自在に支持され、他方の側壁５４を貫通して駆動モータ７４の回転軸７５に軸継ぎ手７６を介して連結されている。駆動モータ７４は駆動手段４８を構成するものであり、回転体４７はこの駆動モータ７４の駆動により、前部側が上向きに回転する。駆動モータ７４はステージ枠４５の側壁５４に取り付け台８１を介して固定されている。ステージ枠４５の上面は、前構造体３２の内周に形成された画像表示手段３３用の表示窓の一部を形成している。
【００４７】
ゲームに際しては、発射手段の発射ハンドル８を操作して遊技領域１５へと遊技球を発射させる。このとき通常確率状態であれば、遊技者は第１特別図柄始動手段２０に入賞し易い左打ち通路２８に遊技球が集中するように左打ちをする。左打ち通路２８を落下する遊技球が中央役物１８の球誘導口３６に遊技球が入ると、その遊技球は球案内通路３８を経てステージ３４へと案内されて回転体４７内に入る。回転体４７内の遊技球は、回転体４７の内周面６０の形状、回転体４７の回転速度等に応じて複雑な挙動を描きながら回転体４７内を移動した後、何れかの排出口６２，６３から排出され、対応する落下部５１，５２から遊技盤１２の前側へと落下する。
【００４８】
ステージ３４の第１落下部５１から落下する遊技球が第１特別図柄始動手段２０に入賞すると、第１特別図柄表示手段２５の第１特別図柄、演出図柄表示手段４０の演出図柄４１ａ〜４１ｃが同期して所定時間変動する。そして、第１特別図柄始動手段２０に遊技球が入賞したときの抽選結果が大当たりであるか否かに応じて、第１特別図柄表示手段２５の変動後の第１特別図柄が大当たり態様又は外れ態様で停止し、演出図柄表示手段４０の演出図柄４１ａ〜４１ｃが大当たり演出態様又は外れ演出態様で停止する。
【００４９】
通常確率状態中でも右打ち通路２９に進入した遊技球が普通図柄始動手段１９に入賞すれば、普通図柄表示手段２４の普通図柄が変動して変動後に当たり態様で停止することもある。しかし、通常確率状態中は第２特別図柄始動手段２１の開放時間が僅かであるため、第２特別図柄始動手段２１に遊技球が入賞する可能性は非常に低い。
【００５０】
第１特別図柄表示手段２５の変動後の第１特別図柄が大当たり態様で停止すれば大当たり状態となり、開閉入賞手段２２が抽選された所定の開閉パターンで所定ラウンド数開閉動作を繰り返すので、遊技者は開閉入賞手段２２に遊技球が入賞し易い右打ち通路２９側に遊技球を集中させるべく右打ちをする。右打ち通路２９に入った遊技球は普通図柄始動手段１９、開閉入賞手段２２、特別図柄始動手段２０，２１等に入賞するか、アウト球口３５側へと流下する。なお、大当たりの場合には、所定の開閉パターンで大入賞口４２が開放し、その開放時に多数の遊技球が入賞するため、遊技者は有利にゲームを行うことができる。
【００５１】
普通図柄始動手段１９が遊技球を検出すると、普通図柄表示手段２４の普通図柄が所定時間変動して当たり図柄又は外れ図柄で停止し、当たり図柄のときには第２特別図柄始動手段２１が所定時間開放し、この第２特別図柄始動手段２１に遊技球が入賞し易くなる。そして、第２特別図柄始動手段２１に遊技球が入賞すると、第２特別図柄表示手段２６の第２特別図柄が所定時間変動し、第１特別図柄表示手段２５の第１特別図柄の場合と同様に動作する。
【００５２】
このようなゲーム中、ステージ３４の回転体４７は駆動モータ７４の駆動により、回転体４７の前部側が上向きとなるように横軸４６廻りに所定の回転速度でａ矢示方向に回転している。回転体４７の何れかの球入口６１が球案内通路３８に対応すると、球誘導口３６から球案内通路３８へと誘導された遊技球があれば、その遊技球が球入口６１を経て回転体４７内に入り、回転体４７の回転力を受けて内周面６０の形状に沿って回転方向及び左右方向に複雑な挙動を描きながら移動し、第１排出口６２、第２排出口６３へと案内されて行くので、遊技球の落下位置を左右に振り分けることができる。
【００５３】
しかも、このステージ３４は横軸４６廻りに回転する中空状の回転体４７を利用しており、球案内通路３８からの遊技球を一旦回転体４７内に入れて、その回転体４７内で遊技球の回転方向、左右方向に移動させながら第１排出口６２、第２排出口６３に振り分けるようにしているので、遊技者の注意を惹きつけるに必要な間持ちを確保でき、遊技者の興趣を喚起することができる。また回転体４７の回転数の調整により、遊技球の振り分け率を適宜調整することが可能である。
【００５４】
球入口６１から回転体４７内に入った遊技球は、回転体４７の回転力を受けながら胴部５８の内周面６０の端部側の左右方向及び周方向の湾曲形状に沿って回転体４７の左右方向の中央側へと移動する。このとき球入口６１を通過して回転体４７内に入った直後に持ち上げ部７０に衝突すれば、その遊技球は持ち上げ部７０の回転により上側へと持ち上げられながら胴部５８の内周面６０に沿って中央側へと移動し、持ち上げ部７０から外れたときに胴部５８の内周面６０に沿って回転体４７の回転方向とは反対に下方へと移動する。
【００５５】
排出口６２，６３、挙動制御部７２よりも球入口６１側では、回転体４７内の遊技球は、回転体４７内に入ったときの慣性力の大小に応じて、回転体４７の回転力を受けつつも胴部５８の内周面６０に沿って左右方向の中央部側へと移動する。例えば、第２排出口６３側へと直接移動した遊技球は、その第２排出口６３を経て回転体４７の外へと排出される。また第１排出口６２と第２排出口６３との間、第２排出口６３と挙動制御部７２との間へと移動した遊技球は、回転体４７の回転力を受けつつ胴部５８の内周面６０に沿って左右方向に往復移動する等しながら略中央へと集まり、その後に第１排出口６２、第２排出口６３の何れかを経て回転体４７の外へと排出される。
【００５６】
図９（Ａ）〜（Ｄ）は遊技球が回転体４７の第１排出口６２から排出される過程を示す。回転体４７がａ矢示方向に回転する間にその球入口６１が図９（Ａ）に示すように球案内通路３８に対応すると、球案内通路３８からの遊技球が回転体４７内に入る。そして、その遊技球が第２排出口６３と挙動制御部７２との間の左右方向の中央側に達したときに、図９（Ｂ）に示すように挙動制御部７２の左右の突条７２ａ間に対応すると、その遊技球は回転体４７の回転に伴って左右の突条７２ａにより案内されて図９（Ｃ）に示すように第１排出口６２に入り、回転体４７の回転に伴って案内壁５５上を前側へと案内された後、図９（Ｄ）に示すように案内壁５５の前端側の第１落下部５１から遊技盤１２の前側へと落下する。
【００５７】
図１０（ａ）〜（Ｄ）は遊技球が回転体４７の第２排出口６３から排出される過程を示す。回転体４７の球入口６１が球案内通路３８に対応すると、図１０（Ａ）に示すように球案内通路３８からの遊技球が回転体４７内に入る。そして、その遊技球が図１０（Ｂ）に示すように第１排出口６２と第２排出口６３との間の左右方向の中央側に達し、左右何れかの第２排出口６３に対応すると、遊技球は図１０（Ｃ）に示すようにその第２排出口６３に入り、回転体４７の回転に伴って案内壁５５上を前側へと案内された後、図１０（Ｄ）に示すように案内壁５５の前端側の第２落下部５２から遊技盤１２の前側へと落下する。
【００５８】
排出口６２，６３は落下部５１，５２と前後に対応しており、また第１落下部５１は第１特別図柄始動手段２０の上方に対応している。従って、回転体４７内の遊技球が第１排出口６２を経て排出され第１落下部５１を経て落下すると、その遊技球は第１特別図柄始動手段２０に入賞する可能性が大となる。
【００５９】
回転体４７はその前上がりに回転する一方、回転体４７内には持ち上げ部７０があって、球入口６１から入った遊技球がこの持ち上げ部７０と接触した場合には、回転体４７の回転力が回転体４７内の遊技球を持ち上げるように作用する。そのため回転体４７内の遊技球を内周面６０に沿って回転方向の下手側に移動させることができ、間持ち時間を容易に確保できる。
【００６０】
また持ち上げ部７０に接触する遊技球と接触しない遊技球、一旦側壁部５９で停止した後に球入口６１を経て回転体４７内に入る遊技球と、側壁部５９で停止することなく直接球入口６１を経て回転体４７内に入る遊技球等、遊技球が回転体４７に入るとき又は入った後の状況に応じて、回転体４７内での遊技球の挙動を変化させることができるので、回転体４７内での遊技球を各排出口６２，６３に対して不規則に振り分けることができる。
【００６１】
更に落下部５１，５２を回転体４７の前下側に配置して、回転体４７の回転により、回転体４７の各排出口６２，６３内の遊技球を案内壁５５に沿って前側へと送るため、ステージ３４全体の構造を簡素化することができる。
【００６２】
なお、持ち上げ部７０は回転体４７の回転速度が遊技球の移動速度に近いか、移動速度よりも十分に速い場合であり、回転体４７の回転速度が遅い場合には遊技球を持ち上げる作用はない。従って、回転体４７の回転速度が遅い場合には、持ち上げ部７０に相当する部分は遊技球を回転体４７内へと案内する案内部となる。
【００６３】
図１１は本発明の第２の実施形態を例示する。この実施形態では、第１球入口６１ａと第２球入口６１ｂの大きさを変えることによって、２個の球入口６１ａ，６１ｂで回転体４７内に入った後の遊技球の挙動が異なるようにしている。第１球入口６１ａは第２球入口６１ｂに比較して回転体４７の回転方向に長く形成されている。他の構成は第１の実施形態と同様である。
【００６４】
このように球入口６１ａ，６１ｂの回転方向の大きさを変えておけば、回転体４７の回転中に球入口６１ａ，６１ｂが球案内通路３８に対応する時間が異なるため、短い第２球球入口６１ｂでは回転体４７の側壁部５９に衝突して停止した後に回転体４７内に入る遊技球が多くなるのに対して、長い第１球入口６１ａでは球案内通路３８から第１球入口６１ａを経て直接回転体４７内に入る遊技球の数が多くなる。このため第１球入口６１ａと第２球入口６１ｂとで回転体４７内に入ったときの慣性力に違いが生じ、回転体４７の内周面６０の内面形状に沿って遊技球が移動するときの挙動に変化を持たせることができる。
【００６５】
図１２、図１３は本発明の第３の実施形態を例示する。この実施形態では、第１球入口６１ａ側と第２球入口６１ｂ側とで回転体４７の胴部５８の内面形状を変えることによって、２個の球入口６１ａ，６１ｂで回転体４７内に入った後の遊技球の挙動が異なるようにしている。
【００６６】
第２球入口６１ｂ側の回転体４７の内周面６０の形状は第１の実施形態と略同様とし、第１球入口６１ａ側の回転体４７の内面には、第１球入口６１ａから入った遊技球の慣性力に抗する抵抗部７３が設けられている。この抵抗部７３は胴部５８の端部に形成された傾斜部７３ａにより構成され、第１球入口６１ａから入った遊技球を傾斜部７３ａで受けて慣性力を弱めるようにしている。抵抗部７３の近傍に持ち上げ部７０が設けられている。他の構成は第１の実施形態と同様である。
【００６７】
この場合には、第１球入口６１ａから回転体４７内に入った遊技球ａを抵抗部７３の傾斜部７３ａで受けて慣性力を弱めると共に、傾斜部７３ａに載った状態で回転体４７の回転に伴って持ち上げ部７０により上側へと持ち上げる。その間に、遊技球は傾斜部７３ａに沿って左右方向の中央側へと移動し、傾斜部７３ａ、持ち上げ部７０から外れたときに、その遊技球は傾斜部７３ａ以外の胴部５８の内面形状に沿って回転体４７の回転方向とは逆方向へと急速に移動する。従って、第１球入口６１ａから入った遊技球は第２球入口６１ｂ側から入った遊技球とは異なる挙動を描くことになる。なお、抵抗部７３は傾斜部７３ａ以外のもので構成してもよい。
【００６８】
図１４は本発明の第４の実施形態を例示する。この実施形態の挙動制御部７２は、第１排出口６２に対して回転方向の下手側近傍に複数個の突起７２ｂ，７２ｃを配置して構成されている。例えば、挙動制御部７２は第１排出口６２に対応して左右方向の略中央に配置された１個の突起７２ｂと、この突起７２ｂよりも回転方向の上手側で左右両側に配置された２個の突起７２ｃとを備えている。他の構成は第１の実施形態と同様である。
【００６９】
この場合には、遊技球が各突起７２ｂ，７２ｃと接触するときの接触位置によって、第１排出口６２へと案内されたり、第１排出口６２から外れる方向へと案内されたりする。例えば、遊技球が突起７２ｂの左側から左側の突起７２ｃの右側をｂ矢示方向に通過する場合には、その遊技球は第１排出口６２に入賞し易くなる。また遊技球が突起７２ｂの左側に接触した後、右側の突起７２ｃの右側をｃ矢示方向に移動する場合には、その遊技球は第１排出口６２に入賞し難くなる。
【００７０】
従って、挙動制御部７２は第１排出口６２に対して回転方向の下手側にある遊技球の位置、移動方向等に応じて、遊技球の挙動を第１排出口６２側へと制御したり第１排出口６２以外へと制御するものであれば、突条７２ａ、突起７２ｂ，７２ｃにより構成してもよいし、これら以外のもので構成してもよい。
【００７１】
図１５は本発明の第５の実施形態を例示する。この実施形態の回転体４７は左右非対称であって、胴部５８の球案内通路３８側がテーパー部７７となっている。テーパー部７７の外周面には回転方向に２個の球入口６１が形成されている。また第１排出口６２、第２排出口６３ａ，６３ｂは横軸４６に対して傾斜する仮想傾斜面７８上に回転方向に略等配に位置すべく胴部５８に回転方向、左右方向に位置を変えて設けられている。他の構成は第１の実施形態と略同様である。
【００７２】
このように回転体４７の球案内通路３８側の端部に球入口６１を設ける場合には、その球入口６１を胴部５８の外周面に配置してもよい。また第１排出口６２、第２排出口６３ａ，６３ｂは周方向、左右方向に位置を変えて配置してもよい。
【００７３】
図１６は本発明の第６の実施形態を例示する。この実施形態の回転体４７は、胴部５８の略中央で左右に二分割された分割体６５により構成されている。各分割体６５は開口端側で互いに嵌合され、左右方向に貫通する横軸４６等を利用して結合されている。
【００７４】
回転体４７を二分割された分割体６５を結合して構成する場合、その各分割体６５は回転方向に分割する他、左右方向に分割してもよい。また分割数は樹脂成型の都合上、三分割以上でもよい。
【００７５】
図１７、図１８は本発明の第７の実施形態を例示する。この実施形態の回転体４７にはその胴部５８の一端側に、羽根状の持ち上げ部７０が回転方向に複数個設けられ、また他端側が側壁部５９を介して駆動モータ７４の回転軸７５により片持ち状に支持されている。持ち上げ部７０はその持ち上げ部７０間の球入口６１から入った遊技球を胴部５８の内周面６０に沿って持ち上げながら案内するように外周側がスクリュウ状に形成され、外周枠部７９内に一体に設けられている。外周枠部７９は胴部５８の一端側に嵌着されている。回転体４７の胴部５８は外周が略直円筒状であり、内周面６０が太鼓状になっている。他の構成は第１の実施形態と同様である。
【００７６】
この場合には球入口６１から回転体４７内に入った遊技球は、先ずスクリュウ状の持ち上げ部７０の回転により、内周面６０に沿うように持ち上げられながら左右方向の中央部側へと移動し、持ち上げ部７０から外れたときに回転体４７の回転方向とは逆方向に移動する。従って、回転体４７の内周面６０に沿って移動する遊技球の移動量を大きくすることができる。
【００７７】
図１９は本発明の第８の実施形態を例示し、回転体４７の内周面６０を展開した展開図である。この実施形態の回転体４７の横方向の軸心に対して斜めに長孔８０が形成され、この長孔８０にその長手方向に位置を変えて第１排出口６２、第２排出口６３ａ，６３ｂが設けられている。長孔８０の幅は遊技球の直径よりも大であり、上手側の第２排出口６３ａと中間の第１排出口６２は、長孔８０内に突出する突部により構成されている。第１排出口６２の区間は長孔８０の長手方向に短く、第２排出口６３ａ，６３ｂは長孔８０の長手方向に長く構成され、その回転方向の上手側で遊技球を受けるようになっている。
【００７８】
このように各排出口６２，６３ａ，６３ｂは１個の長孔８０を介して連通状に設けた場合にも、回転体４７内で振り分けられた遊技球を各落下部５１，５２へと排出することが可能である。
【００７９】
なお、長孔８０の幅が遊技球の直径よりも小さい場合には、第１排出口６２、第２排出口６３ａ，６３ｂは凹部により構成すればよい。
【００８０】
図２０、図２１は本発明の第９の実施形態を例示する。この実施形態では、回転体４７は駆動モータ７４の回転軸７５（横軸４６）により片持ち状に支持されており、駆動モータ７４の駆動により後上がりにｄ矢示方向に回転する。球案内通路３８は回転軸７５よりも後側に配置され、駆動モータ７４と反対側の回転体４７の開口端に挿入されている。回転体４７は太鼓状の内周面６０を有し、その左右中央部に第１排出口６２、第２排出口６３が設けられている。回転体４７の内外には、回転体４７が矢示方向に回転するときに排出口６２，６３内の遊技球を保持し案内する内案内壁８２と外案内壁８３が設けられている。
【００８１】
外案内壁８３は回転体４７の下側から後側上部に跨がって円弧状に設けられ、また内案内壁８２は回転体４７の内周側の上部に円弧状に設けられている。前飾り体４９には各排出口６２，６３に対応する落下部５１，５２が回転体４７の前側に設けられ、その高さは回転軸７５よりも上側、又は回転軸７５の高さ近傍となっている。外案内壁８３と前飾り体４９の落下部５１，５２との間では、回転体４７の外周が開放状になっている。
【００８２】
この場合には、回転体４７は後上がりに回転し、回転軸７５よりも後側に配置された球案内通路３８から回転体４７内に遊技球を供給すると、回転体４７の回転とその内周面６０の形状とにより、各実施形態と同様の挙動を描きながら各排出口６２，６３へと遊技球を振り分けることができる。排出口６２，６３に入った遊技球は外案内壁８３、内案内壁８２により順次案内されながら回転体４７の回転と共に上昇し、回転体４７の頂点を超えた後、落下部５１，５２から遊技盤１２の前側に落下する。
【００８３】
このように回転体４７を後上がりに回転させることも可能である。また回転体４７の上側を経て落下部５１，５２から遊技盤１２の前側に遊技球を落下させるので、その落下部５１，５２を高い位置に配置することができる。このためステージ３４の下側に第１特別図柄始動手段２０、第２特別図柄始動手段２１、遊技釘等を配置する場合にも、その位置を落下部５１，５２に制約されることなく比較的自由に確保することができる。
【００８４】
図２２は中空状の回転体を利用した所謂ハネ物等の回転式振り分け装置９０を例示する。この振り分け装置９０は、遊技盤１２に前側から装着された装置本体９１を備え、装置本体９１の前部側には遊技盤１２の前面に開口する入賞口９２と、入賞口９２の左右両側に配置され且つ入賞口９２を開閉する左右一対の開閉羽根９３とが設けられ、また後部側には特定領域９４及び非特定領域９５と、前後方向の軸心廻りに回転し且つ入賞口９２に入賞した遊技球を受け入れて特定領域９４と非特定領域９５との何れかに振り分ける中空状の回転体４７と、この回転体４７を回転駆動するモータ等の駆動手段９６とが設けられている。
【００８５】
装置本体９１の前面には入賞口９２の上側に突出部９７があり、その下側の左右両側に開閉羽根９３が下部側の前後方向の支軸９８により開閉自在に枢支されている。なお、開閉羽根９３は１個でもよい。また入賞口９２を開閉する開閉部材であれば、開閉羽根９３以外のものを使用してもよい。
【００８６】
特定領域９４、非特定領域９５は遊技盤１２の裏側で装置本体９１の下部に設けられている。特定領域９４、非特定領域９５には、各領域９４，９５を通過する遊技球を検出する検出手段９９，１００が設けられており、特定領域９４の検出手段９９が遊技球を検出したときに、遊技者に有利な利益状態が発生するようになっている。
【００８７】
なお、検出手段９９，１００は賞球の払い出し用に遊技球の入賞個数を検出する機能も有するが、検出手段９９よりも下流側で特定領域９４と非特定領域９５とを合流させて、その合流部に各領域９４，９５からの遊技球を検出する検出手段を設ける場合には、非特定領域９５の検出手段１００は省略することができる。
【００８８】
回転体４７は前後両側の支持部１０３，１０４を介して装置本体９１に前後方向の軸心廻りに回転自在に支持されており、その前側に通路１０１を介して入賞口９２に連通する入口１０２が設けられ、外周に特定領域９４に対応する第１排出口６２と、非特定領域９５に対応する第２排出口６３とが設けられている。そして、回転体４７は前後方向の軸心廻りに回転しながら、入口１０２から入った遊技球を第１排出口６２、第２排出口６３を経て特定領域９４と非特定領域９５との何れかに振り分けるように構成されている。なお、回転体４７、入口１０２は各実施形態に例示するように構成してもよい。
【００８９】
この場合には、開閉羽根９３により入賞口９２が開放すると、その開閉羽根９３等を経て遊技球が入賞口９２へと入賞する。そして、その遊技球は通路１０１から入口１０２を経て回転体４７内に入り、回転体４７の回転に伴って内周面６０に沿って転動した後、第１排出口６２、第２排出口６３の何れかに入る。
【００９０】
第１排出口６２に入った遊技球は特定領域９４と対応したときに、特定領域９４を経て下方に落下する。そして、特定領域９４を通過する遊技球を検出手段９９が検出して利益状態が発生する。従って、このような回転式振り分け装置９０の回転体４７として利用することもできる。なお、回転体４７は前後方向の軸心廻りに回転するようにしているが、左右方向の軸心廻りに回転するようにしてもよい。
【００９１】
以上、本発明の各実施形態について詳述したが、本発明はこの各実施形態に限定されるものではなく、本発明の趣旨を逸脱しない範囲で種々の変更が可能である。例えば回転体４７を横長中空状にすれば、画像表示手段３３の前下側に配置した場合でも、画像表示手段３３の表示領域を十分に確保しながらステージ３４から下側の遊技領域１５も十分に確保できるが、回転体４７は必ずしも横長状である必要はない。また回転体４７は横軸４６に対して略同心円状にすることが望ましいが、多角形の筒状にする等、略同心状に配置されるものであればよい。
【００９２】
回転体４７は球案内通路３８側を開口状とし、その開口部から回転体４７内に遊技球を案内するようにしてもよい。回転体４７の内周面６０は左右方向の略中央部が大径となる太鼓状が一般的であるが、算盤球形状等でもよいし、回転方向に交互に径方向の緩やかな凹凸面を設けることも可能である。回転体４７はパチンコ機の稼働は常時回転するようにしてもよいが、遊技者が発射ハンドル８を把持状態にあるときに回転するようにしてもよい。また球誘導口３６の遊技球の通過を検出する検出手段を設け、この検出手段が遊技球を検出したときに回転体４７が回転するようにしてもよい。
【００９３】
球入口６１は内周面６０の大径部分から外れた位置に設け、その大径部分の近傍に排出口６２，６３を設けてもよい。排出口６２，６３は回転体４７内で振り分けられた遊技球をそのまま落下部５１，５２へと排出できるものであればよい。内周面６０の大径部分は回転体４７の左右方向の略中央部が適当であるが、球案内通路３８と反対側等、左右方向の一方側に偏って設けてもよい。挙動制御部７２は回転体４７の回転に伴って遊技球の挙動を制御できるものであればよく、突条７２ａ、突起７２ｂ，７２ｃ等の突部により構成してもよいし、凹凸部により構成してもよい。遊技球の振り分け率に応じて回転体４７の内周面６０の形状、排出口６２，６３の大きさ等を変えてもよい。
【００９４】
球案内通路３８を横軸４６よりも前側に配置し、回転体４７を前上がりに回転させることが望ましいが、球案内通路３８を横軸４６よりも後側に配置し、回転体４７を後上がりに回転するようにしてもよい。また回転と停止とを繰り返し、また早い速度での回転と遅い速度での回転とを繰り返す等、回転体４７の回転を間欠的に制御するようにしてもよい。
【００９５】
また実施形態ではステージ３４の下方に第１特別図柄始動手段２０を配置して、第１落下部５１から落下する遊技球は第１特別図柄始動手段２０に入賞し易くし、第２落下部５２から落下する遊技球は第１特別図柄始動手段２０に入賞し難くしているが、ステージ３４の下方に第１特別図柄始動手段２０以外の入賞手段を配置してもよいし、入賞手段以外のもの、例えば遊技球が入って通過する入球手段を設けてもよい。従って、ステージ３４の下方には入賞手段を含む入球手段があれば十分であり、第１落下部５１と第２落下部５２とで入球手段に遊技球が入球し易い状態と入球し難い状態とが得られる構成であれば同様に実施可能である。
【００９６】
その他、球案内通路３８に球誘導口３６に代えて、開閉羽根等の開閉部材により開閉される入賞口を設け、ステージ３４の下方に特定領域用の入球手段を設けておき、入賞口から入賞した遊技球を球案内通路３８を経て回転体４７へと案内し、その回転体４７の回転により排出口６２，６３を経て第１落下部５１、第２落下部５２の何れかに振り分けて、第１落下部５１から落下する遊技球が特定領域用の入球手段に入球したときに、遊技者に有利な利益状態が発生するようにしてもよい。
【００９７】
また右打ち、左打ちタイプ以外のパチンコ機でも同様に実施できる。更に本発明はパチンコ機の他、アレンジボール機、その他の各種の弾球遊技機においても同様に実施可能であることは云うまでもない。
【符号の説明】
【００９８】
１２  遊技盤
１５  遊技領域
１８  中央役物
２０  第１特別図柄始動手段
２１  第２特別図柄始動手段
３２  前構造体
３３  画像表示手段
３４  ステージ
３６  球誘導口
３８  球案内通路
４６  横軸
４７  回転体
４８  駆動手段
６０  内周面
６１  球入口
６２  第１排出口
６３  第２排出口
７０  持ち上げ部
７２  挙動制御部
【図１】
2012040345.tif 000003
【図２】
2012040345.tif 000004
【図３】
2012040345.tif 000005
【図４】
2012040345.tif 000006
【図５】
2012040345.tif 000007
【図６】
2012040345.tif 000008
【図７】
2012040345.tif 000009
【図８】
2012040345.tif 000010
【図９】
2012040345.tif 000011
【図１０】
2012040345.tif 000012
【図１１】
2012040345.tif 000013
【図１２】
2012040345.tif 000014
【図１３】
2012040345.tif 000015
【図１４】
2012040345.tif 000016
【図１５】
2012040345.tif 000017
【図１６】
2012040345.tif 000018
【図１７】
2012040345.tif 000019
【図１８】
2012040345.tif 000020
【図１９】
2012040345.tif 000021
【図２０】
2012040345.tif 000022
【図２１】
2012040345.tif 000023
【図２２】
2012040345.tif 000024